(57)【要約】【課題】ドアの施錠状態および解錠状態を切替えるアクチュエータならびにドアが施錠状態および解錠状態のいずれの状態にあるかを検出する作動状態検出手段を備えるロック装置と、ドアの施錠状態および解錠状態を切替えるための無線信号をロック装置に送信するための送信ボタンを有する携帯機とを備え、作動状態検出手段の検出結果がロック装置から携帯機に送信されるようにしたキーレスエントリー装置において、携帯機の大型化およびコストの増大を回避しつつ、ロック装置の作動状態を携帯機側で確認可能とする。【解決手段】携帯機５に、送信ボタン３２，３３の操作に応じて点灯する送信確認ランプ３４が、ロック装置６から送信される作動状態検出手段１５の検出結果を報知することを可能として設けられる。【選択図】        図４
2015178738.tif 000002
【特許請求の範囲】
【請求項１】
ドア（Ｄ）の施錠状態および解錠状態を切替えるアクチュエータ（１３）ならびにドア（Ｄ）が施錠状態および解錠状態のいずれの状態にあるかを検出する作動状態検出手段（１５）を備えるロック装置（６）と、前記ドア（Ｄ）の施錠状態および解錠状態を切替えるための無線信号を前記ロック装置（６）に送信するための送信ボタン（３２，３３）を有する携帯機（５）とを備え、前記作動状態検出手段（１５）の検出結果が前記ロック装置（６）から前記携帯機（５）に送信されるようにしたキーレスエントリー装置において、前記携帯機（５）に、前記送信ボタン（３２，３３）の操作に応じて点灯する送信確認ランプ（３４）が、前記ロック装置（６）から送信される前記作動状態検出手段（１５）の検出結果を報知することを可能として設けられることを特徴とするキーレスエントリー装置。
【請求項２】
前記携帯機（５）が、前記ロック装置（６）から送信された前記作動状態検出手段（１５）の検出結果を記憶する記憶手段（４０）と、その記憶手段（４０）が記憶した情報を前記送信確認ランプ（３４）で報知させる表示ボタン（５０）とを備えることを特徴とする請求項１に記載のキーレスエントリー装置。
【請求項３】
前記ロック装置（６）からの送信信号の出力が、前記携帯機（５）からの送信信号の出力よりも大きく設定されることを特徴とする請求項１または２に記載のキーレスエントリー装置。
【請求項４】
前記送信確認ランプ（３４）が、前記ロック装置（６）の解錠状態での赤色と、前記ロック装置（６）の施錠状態での緑色とを、前記記憶手段（４０）が記憶した情報に基づいて切替えて表示するように構成されることを特徴とする請求項２に記載のキーレスエントリー装置。
【発明の詳細な説明】
【技術分野】
【０００１】
本発明は、ドアの施錠状態および解錠状態を切替えるアクチュエータならびにドアが施錠状態および解錠状態のいずれの状態にあるかを検出する作動状態検出手段を備えるロック装置と、前記ドアの施錠状態および解錠状態を切替えるための無線信号を前記ロック装置に送信するための送信ボタンを有する携帯機とを備え、前記作動状態検出手段の検出結果が前記ロック装置から前記携帯機に送信されるようにしたキーレスエントリー装置に関する。
【背景技術】
【０００２】
車両用ドアのキーレスエントリー装置において、ドアの施錠状態および解錠状態を文字で表示する表示部が、携帯機に設けられるようにしたものが、特許文献１で知られている。
【先行技術文献】
【特許文献】
【０００３】
【特許文献２】特許３２５３１０１号公報
【発明の概要】
【発明が解決しようとする課題】
【０００４】
ところが、上記特許文献１で開示されたものでは、文字表示を行うようにするためのコスト増大を招き、かつ表示部を配置するためのスペースを携帯機側で確保する必要があって携帯機の大型化を招いている。
【０００５】
本発明は、かかる事情に鑑みてなされたものであり、携帯機の大型化およびコストの増大を回避しつつ、ロック装置の作動状態を携帯機側で確認し得るようにしたキーレスエントリー装置を提供することを目的とする。
【課題を解決するための手段】
【０００６】
上記目的を達成するために、本発明は、ドアの施錠状態および解錠状態を切替えるアクチュエータならびにドアが施錠状態および解錠状態のいずれの状態にあるかを検出する作動状態検出手段を備えるロック装置と、前記ドアの施錠状態および解錠状態を切替えるための無線信号を前記ロック装置に送信するための送信ボタンを有する携帯機とを備え、前記作動状態検出手段の検出結果が前記ロック装置から前記携帯機に送信されるようにしたキーレスエントリー装置において、前記携帯機に、前記送信ボタンの操作に応じて点灯する送信確認ランプが、前記ロック装置から送信される前記作動状態検出手段の検出結果を報知することを可能として設けられることを第１の特徴とする。
【０００７】
また本発明は、第１の特徴の構成に加えて、前記携帯機が、前記ロック装置から送信された前記作動状態検出手段の検出結果を記憶する記憶手段と、その記憶手段が記憶した情報を前記送信確認ランプで報知させる表示ボタンとを備えることを第２の特徴とする。
【０００８】
本発明は、第１または第２の特徴の構成に加えて、前記ロック装置からの送信信号の出力が、前記携帯機からの送信信号の出力よりも大きく設定されることを第３の特徴とする。
【０００９】
さらに本発明は、第２の特徴の構成に加えて、前記送信確認ランプが、前記ロック装置の解錠状態での赤色と、前記ロック装置の施錠状態での緑色とを、前記記憶手段が記憶した情報に基づいて切替えて表示するように構成されることを第４の特徴とする。
【発明の効果】
【００１０】
本発明の第１の特徴によれば、送信ボタンの操作に応じて点灯するようにして携帯機に設けられる送信確認ランプが、ロック装置から送信される作動状態検出手段の検出結果すなわちロック装置の作動状態を報知可能であるので、ロック装置の作動状態を確認するための専用の表示部を配設するためのスペースは携帯機には不要であり、送信確認ランプを用いてロック装置の作動状態を確認すことを可能としたので、携帯機の大型化およびコストの増大を回避しつつ、ロック装置の作動状態を携帯機側で確認することができる。
【００１１】
また本発明の第２の特徴によれば、ロック装置から送信された作動状態検出手段の検出結果を記憶手段が記憶し、その記憶情報を表示ボタンの操作によって送信確認ランプが報知するので、必要なときにいつでもロック装置の作動状態を確認することができる。
【００１２】
本発明の第３の特徴によれば、ロック装置からの送信信号が携帯機からの送信信号よりも遠くに送信されるので、携帯機からの信号送信に伴ってロック装置側でアクチュエータの作動が終了するまでの時間が経過する間にドアから離れても、ロック装置からの送信信号が携帯機に届くようにして携帯機の受信信頼性を高めることができる。
【００１３】
さらに本発明の第４の特徴によれば、ロック装置の解錠状態では送信確認ランプが赤色となり、ロック装置の施錠状態では送信確認ランプが緑色となるので、解錠状態にあることを赤色で警告し、施錠状態では安全であることを緑色で表示するようにして、ロック装置の解錠状態および施錠状態を差別化して報知することができる。
【図面の簡単な説明】
【００１４】
【図１】住宅用ドアの一部を示す斜視図である。
【図２】ロック装置の正面図である。
【図３】ロック装置の一部構成を示すブロック図である。
【図４】携帯機の正面図である。
【図５】携帯機の一部構成を示すブロック図である。
【図６】携帯機およびロック装置の作動状態変化を示すタイミングチャートである。
【発明を実施するための形態】
【００１５】
以下、本発明の実施の形態について図１〜図６を参照しながら説明すると、先ず図１および図２において、たとえば住宅用のドアＤの内面側には、携帯機５からの無線信号の送信に応じて作動するロック装置６が設けられており、このロック装置６は、前記ドアＤの端縁に取付けられた化粧カバー７からデッドボルト８を出没させることで該ドアＤの施錠状態および解錠状態を切替えるように構成され、前記ロック装置６のケーシング９は前記ドアＤの内面側に取付けられる。
【００１６】
図３において、前記ロック装置６の前記ケーシング９内には、前記携帯機５からの施錠および解錠を指示する無線信号を受信するとともに前記ロック装置６の作動状態を前記携帯機５側に送信するようにしてアンテナ１０を有する送・受信部１１と、電動モータ１２を有するとともに前記ロック装置６の施錠状態および解錠状態を切換えるアクチュエータ１３と、前記電動モータ１２を駆動するためのモータドライブ回路１４と、前記ドアＤが施錠状態および解錠状態のいずれの状態にあるかを前記アクチュエータ１３の作動状況によって検出する作動状態検出手段１５と、作動状態検出手段１５の検出結果を報知するための作動状態確認ランプ２２の点灯状態を切替え制御する点灯制御回路１６と、ブザー１７と、前記送・受信部１１、前記モータドライブ回路１４、前記作動状態検出手段１５、前記点灯制御回路１６および前記ブザー１７が接続される制御ユニット１８と、該制御ユニット１８、前記モータドライブ回路１４および前記点灯制御回路１６に電力を供給するための電池１９とが収容される。しかも前記制御ユニット１８は、前記電池１９の電池残量を検知する機能も有している。
【００１７】
前記作動状態検出手段１５は、前記ロック装置６が施錠状態にあることを検出する施錠状態検出スイッチ２０と、前記ロック装置６が解除状態にあることを検出する解除状態検出スイッチ２１とから成る。
【００１８】
また前記作動状態確認ランプ２２は、赤色のＬＥＤ２３と、緑色のＬＥＤ２４と、前記ケーシング９の下部に設けられた窓２５に、前記ＬＥＤ２３，２４からの光を導くようにして前記ケーシング９の内部に収容される導光部材２６とで構成されており、前記ＬＥＤ２３，２４の一方が点灯する際に他方が消灯するようにして、赤色のＬＥＤ２３および緑色のＬＥＤ２４の一方からの光を前記窓２５から発光するように構成される。
【００１９】
前記点灯制御回路１６は、前記赤色のＬＥＤ２３および前記電池１９間で直列に接続されるトランジスタ２７および抵抗２８と、前記緑色のＬＥＤ２４および前記電池１９間に直列に接続されるトランジスタ２９および抵抗３０とから成り、トランジスタ２７，２９の導通・遮断が前記制御ユニット１８で制御される。
【００２０】
このようなロック装置６は、前記ドアＤの施錠状態および解錠状態を切替えるための無線信号が前記携帯機５から送信されるのに応じて前記アクチュエータ１３の前記電動モータ１２が作動するようにして施錠状態および解錠状態を切替えるとともに、その切替えに伴って生じた該ロック装置６の作動状態を前記送・受信部１１から送信する。しかも前記送・受信部１１からの送信信号が前記携帯機５の送信信号よりも遠くに送信し得るように前記送・受信部１１の出力が設定される。
【００２１】
また前記制御ユニット１８は、前記アクチュエータ１３の作動完了を持って前記ブザー１７を鳴動させるとともに、前記点灯制御回路１６によって前記作動状態確認ランプ２２を点灯させるものであり、施錠状態となるのに応じて緑色のＬＥＤ２４が点灯する。また前記制御ユニット１８は、前記電池１９の電池残量が所定値以下になったときには、前記点灯制御回路１６によって前記作動状態確認ランプ２２における赤色のＬＥＤ２３を点灯させるとともに、ロック装置６が正常に作動しない状態が生じたとき、たとえば携帯機５から施錠信号を受信したのにアクチュエータ１３が施錠作動せずに施錠状態とならないときに前記点灯制御回路１６によって前記作動状態確認ランプ２２における赤色のＬＥＤ２３を点灯させる。
【００２２】
図４において、前記携帯機５のケース３１には、前記ドアＤを解錠状態から施錠状態に切替えるための無線信号を前記ロック装置６に送信するための施錠用の送信ボタン３２と、前記ドアＤを施錠状態から解錠状態に切替えるための無線信号を前記ロック装置６に送信するための解錠用の送信ボタン３３と、それらの送信ボタン３２，３３の操作に応じて点灯する送信確認ランプ３４とが設けられる。
【００２３】
図５において、前記ケース３１内には、前記ロック装置６に無線信号を送信するとともに前記ロック装置６からの無線信号を受信するようにしてアンテナ３５を有する送・受信部３６と、前記送信確認ランプ３４の点灯状態を切替え制御する点灯制御回路３７と、施錠用の前記送信ボタン３２の操作に応じて導通する施錠用スイッチ３８と、解錠用の前記送信ボタン３３の操作に応じて導通する解錠用スイッチ３９と、前記送・受信部３６、前記点灯制御回路３７、前記施錠用スイッチ３８および前記解錠用スイッチ３９が接続される制御ユニット４０と、該制御ユニット４０および前記点灯制御回路３７に電力を供給するための電池４１とが収容される。
【００２４】
しかも前記制御ユニット４０は、前記ロック装置６から送信された前記作動状態検出手段１５の検出結果を記憶する記憶手段としての機能ならびに前記電池４１の電池残量を検知する機能をも果たすものである。
【００２５】
前記送信確認ランプ３４は、赤色のＬＥＤ４２と、緑色のＬＥＤ４３と、前記ケース３１に設けられた窓４４に、前記ＬＥＤ４２，４３からの光を導くようにして前記ケース３１の内部に収容される導光部材４５とで構成されており、前記ＬＥＤ４２，４３の一方が点灯する際に他方が消灯するようにして、赤色のＬＥＤ４２および緑色のＬＥＤ４３の一方からの光を前記窓４４から発光するように構成される。
【００２６】
また前記点灯制御回路３７は、前記赤色のＬＥＤ４２および前記電池４１間で直列に接続されるトランジスタ４６および抵抗４７と、前記緑色のＬＥＤ４３および前記電池４１間に直列に接続されるトランジスタ４８および抵抗４９とから成り、トランジスタ４６，４８の導通・遮断が前記制御ユニット４０で制御される。
【００２７】
図４に注目して、前記携帯機５のケース３１には、たとえば前記送信ボタン３２，３３間に配置されるようにして表示ボタン５０が設けられており、図５で示すように、前記表示ボタン５０の操作に応じて導通する表示用スイッチ５１が前記制御ユニット４０に接続される。
【００２８】
前記制御ユニット４０は、施錠用の前記送信ボタン３２ならびに解錠用の前記送信ボタン３３の操作に応じて送信確認ランプ３４が点灯するように、前記点灯制御回路３７における前記トランジスタ４６，４８の導通・遮断を切替え制御するものであり、この実施の形態では、施錠用および解錠用の前記送信ボタン３２，３３の操作時に、前記制御ユニット４０は、前記送信確認ランプ３４が緑色でたとえば３回点滅するように前記点灯制御回路３７を制御する。
【００２９】
また前記制御ユニット４０は、前記表示ボタン５０の操作時には、該制御ユニット４０で記憶した前記ロック装置６の作動状態に応じて前記トランジスタ４６，４８の導通・遮断を切替え制御するものであり、前記送信確認ランプ３４は、前記ロック装置６の前記送・受信部１１から送信される前記作動状態検出手段１５の検出結果を報知することも可能である。
【００３０】
この実施の形態では、前記表示ボタン５０の操作時にそのときの前記ロック装置６が施錠状態にあるときには、前記制御ユニット４０で前記点灯制御回路３７が制御されることによって前記送信確認ランプ３４は緑色で所定時間点灯し、前記表示ボタン５０の操作時にそのときの前記ロック装置６が解錠状態にあるときには、前記制御ユニット４０で前記点灯制御回路３７が制御されることによって前記送信確認ランプ３４は赤色で所定時間点灯する。すなわち前記送信確認ランプ３４は、前記ロック装置６の解錠状態での赤色と、前記ロック装置６の施錠状態での緑色とを、前記制御ユニット４０が記憶した情報に基づいて切替えて表示することになる。
【００３１】
また前記制御ユニット４０は、前記電池４１の電池残量が所定値以下となったときには、前記送信確認ランプ３４が赤色で点灯するように前記点灯制御回路３７を制御する。
【００３２】
このような携帯機５およびロック装置６での作動タイミングについて図６を参照しながら説明すると、携帯送信機５の施錠用の送信ボタン３２の押圧操作が時刻ｔ１で完了すると、時刻ｔ１から時刻ｔ２までの間で送信確認ランプ３４が緑色でたとえば３回点滅し、ロック装置６を施錠作動させるための信号が携帯機５の送・受信部３６から前記ロック装置６の送・受信部１１に送信されるとともに、前記ロック装置６の送・受信部１１での受信が完了した時刻ｔ３でロック装置６におけるアクチュエータ１３の電動モータ１２が作動を開始する。
【００３３】
前記アクチュエータ１３の作動が完了した時刻ｔ４では、前記ロック装置６側の前記作動状態確認ランプ２２が緑色に所定時間だけ点灯し、前記ブザー１７が鳴動するとともに、前記ロック装置６の作動状態が前記送・受信部１１から前記携帯機５の前記送・受信部３６に送信される。この送・受信部３６の受信により携帯機５の前記制御ユニット４０は、前記ロック装置６の作動状態を記憶する。
【００３４】
前記ロック装置６の作動状態を前記制御ユニット４０が記憶した状態での時刻ｔ５で前記表示ボタン５０を押して前記表示用スイッチ５１を導通させると、表示用スイッチ５１が導通状態から遮断状態にスイッチング態様を変化させた時刻ｔ６で、前記ロック装置６が施錠状態にあることを示すために前記制御ユニット４０が前記送信確認ランプ３４の緑色のＬＥＤ４３を所定時間たとえば１〜２秒点灯させるように前記点灯制御回路３７を制御する。
【００３５】
次にこの実施の形態の作用について説明すると、施錠用の送信スイッチ３２および解錠用の送信ボタン３３の操作に応じて点灯するようにして携帯機５に設けられる送信確認ランプ３４が、ロック装置６の作動状態を検出するようにして該ロック装置６に設けられる作動状態検出手段１５の検出結果を報知することが可能であるので、前記ロック装置６の作動状態を確認するための専用の表示部を配設するためのスペースを携帯機５で確保することは不要であり、送信確認ランプ３４を用いてロック装置６の作動状態を確認すことを可能としたので、携帯機５の大型化およびコストの増大を回避しつつ、ロック装置６の作動状態を携帯機５側で確認することができる。
【００３６】
また前記携帯機５が、前記ロック装置６から送信された前記作動状態検出手段１５の検出結果を記憶する記憶手段である制御ユニット４０と、その制御ユニット４０が記憶した情報を前記送信確認ランプ３４で報知させる表示ボタン５０とを備えるので、必要なときにいつでもロック装置６の作動状態を確認することができる。たとえば外出先で携帯機５の表示ボタン５０を押すと、ロック装置６が施錠状態にあるときには送信確認ランプ３４が緑色で所定時間点灯するので、ドアＤの施錠し忘れがないことを確認することができる。また帰宅時に、ドアＤの解錠後に室内に入った状態で携帯機５の表示ボタン５０を押すと、ロック装置６が解錠状態にあることに基づいて、送信確認ランプ３４が赤色で所定時間点灯するので、ドアＤが解除状態にあることを確認することができ、必要あであれば施錠用の送信ボタン３２を押してロック装置６を施錠状態とすることができる。
【００３７】
また前記ロック装置６が、前記ロック装置６からの送信信号の出力が前記携帯機５からの送信信号の出力よりも大きく設定されるので、前記ロック装置６からの送信信号が前記携帯機５からの送信信号よりも遠くに送信されることになり、携帯機５からの信号送信に伴ってロック装置６側でアクチュエータ１３の作動が終了するまでの時間が経過する間にドアＤから離れても、前記ロック装置６からの送信信号が携帯機５に届くようにして携帯機５の受信信頼性を高めることができる。
【００３８】
さらに送信確認ランプ３４が、前記ロック装置６の解錠状態での赤色と、前記ロック装置６の施錠状態での緑色とを、前記制御ユニット４０が記憶した情報に基づいて切替えて表示するので、解錠状態にあることを赤色で警告し、施錠状態では安全であることを緑色で表示するようにして、ロック装置６の解錠状態および施錠状態を差別化して報知することができる。
【００３９】
以上、本発明の実施の形態について説明したが、本発明は上記実施の形態に限定されるものではなく、特許請求の範囲に記載された本発明を逸脱することなく種々の設計変更を行うことが可能である。
【００４０】
たとえば本発明は、上述の実施の形態で説明した住宅用ドアのキーレスエントリー装置に限定されるものではなく、車両用ドア等の他のドアに関連して広く実施することが可能である。
【００４１】
また上述の実施の形態では、前記ロック装置６の作動状態確認ランプ２２が赤色のＬＥＤ２３および緑色のＬＥＤ２４を備え、前記携帯機５の送信確認ランプ３４が赤色のＬＥＤ４２および緑色のＬＥＤ４３を備えるように構成されていたが、１個の多色ＬＥＤを用いて前記ロック装置６の作動状態確認ランプならびに前記携帯機５の送信確認ランプを構成することも可能である。
【符号の説明】
【００４２】
５・・・携帯機
６・・・ロック装置
１３・・・アクチュエータ
１５・・・作動状態検出手段
３２，３３・・・送信ボタン
３４・・・送信確認ランプ
４０・・・記憶手段である制御ユニット
５０・・・表示ボタン
Ｄ・・・ドア
【図１】
2015178738.tif 000003
【図２】
2015178738.tif 000004
【図３】
2015178738.tif 000005
【図４】
2015178738.tif 000006
【図５】
2015178738.tif 000007
【図６】
2015178738.tif 000008